(57)【要約】      （修正有）【課題】線路側端子に接続された芯線の断線を確実に防止することが可能な避雷器の提供。【解決手段】避雷器本体１０と、前記避雷器本体の先端に設けられる線路側端子２０と、電線１００が挿入される挿入孔２１を有し、前記電線の被覆１０１を剥離して前記電線の先端に露出する芯線１０２が接続される前記線路側端子を覆うように前記避雷器本体に装着される安全キャップと、を含む避雷器であって、前記安全キャップ内において、前記芯線が接続される前記線路側端子と、前記芯線に連続する前記被覆と、を覆うように装着される絶縁材料からなる装着体４０を備える。【選択図】図３
2019139985.tif 000002
【特許請求の範囲】
【請求項１】
避雷器本体と、前記避雷器本体の先端に設けられる線路側端子と、電線が挿入される挿入孔を有し、前記電線の被覆を剥離して前記電線の先端に露出する芯線が接続される前記線路側端子を覆うように前記避雷器本体に装着される安全キャップと、を含む避雷器であって、
前記安全キャップ内において、前記芯線が接続される前記線路側端子と、前記芯線に連続する前記被覆と、を覆うように装着される絶縁材料からなる装着体
を備えたことを特徴とする避雷器。
【請求項２】
前記線路側端子は、前記芯線が挿入される第１孔と、前記芯線が前記第１孔内に固定されるように螺子が螺合する第２孔と、を有し、
前記装着体は、前記螺子が前記第２孔に螺合する前に挿入される第３孔を有する
ことを特徴とする請求項１に記載の避雷器。
【請求項３】
前記装着体は、円筒形状を呈する
ことを特徴とする請求項１又は請求項２に記載の避雷器。
【請求項４】
前記装着体は、樹脂材料で形成される
ことを特徴とする請求項１乃至請求項３の何れか一項に記載の避雷器。
【発明の詳細な説明】
【技術分野】
【０００１】
本発明は、安全キャップ内で線路側端子と接続される芯線が外的要因によって断線することを防止する避雷器の構造に関する。
【背景技術】
【０００２】
避雷器本体と、避雷器の先端に設けられる線路側端子と、電線の被覆を剥離して電線の先端に露出する芯線が接続される線路側端子を覆うように避雷器本体に装着される安全キャップと、を含む配電用の避雷器が知られている（例えば、特許文献１を参照）。
【先行技術文献】
【特許文献】
【０００３】
【特許文献１】特開２０１２−１７４５４５号公報
【発明の概要】
【発明が解決しようとする課題】
【０００４】
芯線を線路側端子に接続する場合、避雷器を電柱等に設置した後に芯線が疲労破断し難くなるように、芯線及び被覆の境目と線路側端子との間の距離（芯線が線路側端子から露出する距離）を比較的短く設定している。一方、電線から芯線を露出させる場合、刃物（例えばナイフ）を用いて電線から被覆を剥離するため、芯線を傷つけてしまう虞がある。芯線を傷つけてしまった場合、芯線が線路側端子から露出する距離を比較的短く設定したとしても、風雨や鳥獣に起因して電線が動揺したときの力が芯線の傷部分に加わるため、芯線の傷部分を境として電線が断線し易くなる虞があった。
【０００５】
上記の課題を解決しようとして、特許文献１には、芯線が露出していない電線を筒型の線路側端子に挿入し、線路側端子の側面に設けられる孔から芯線に当接するまで螺子を締め付けることによって、芯線及び線路側端子を電気的に接続する技術が開示されている。しかし、螺子は緩む性質を有するため、芯線及び線路側端子の間に接触不良を生じる虞があった。更に、螺子は芯線及び線路側端子の間を電気的に接続する接点に過ぎないため、高圧架線に発生した大電流（例えば雷に起因する大電流）を大地に放出できなくなる虞がった。
【０００６】
そこで、本発明は、線路側端子に接続された芯線の断線を確実に防止する避雷器を提供することを目的とする。
【課題を解決するための手段】
【０００７】
前述した課題を解決する主たる本発明は、避雷器本体と、前記避雷器本体の先端に設けられる線路側端子と、電線が挿入される挿入孔を有し、前記電線の被覆を剥離して前記電線の先端に露出する芯線が接続される前記線路側端子を覆うように前記避雷器本体に装着される安全キャップと、を含む避雷器であって、前記安全キャップ内において、前記芯線が接続される前記線路側端子と、前記芯線に連続する前記被覆と、を覆うように装着される絶縁材料からなる装着体を備える。
【０００８】
本発明の他の特徴については、添付図面及び本明細書の記載により明らかとなる。
【発明の効果】
【０００９】
本発明によれば、線路側端子に接続された芯線の断線を確実に防止することが可能となる。
【図面の簡単な説明】
【００１０】
【図１】本実施形態に係る避雷器の全体を示す平面図である。
【図２】本実施形態に係る避雷器の要部を示す平面図である。
【図３】本実施形態に係る避雷器の要部を示す分解斜視図である。
【図４】本実施形態に係る避雷器の要部を示す斜視図である。
【発明を実施するための形態】
【００１１】
本明細書および添付図面の記載により、少なくとも以下の事項が明らかとなる。
【００１２】
＝＝＝避雷器＝＝＝
図１は、本実施形態に係る避雷器の全体を示す平面図である。図２は、本実施形態に係る避雷器の要部を示す平面図である。図３は、本実施形態に係る避雷器の要部を示す分解斜視図である。図４は、本実施形態に係る避雷器の要部を示す斜視図である。尚、説明の便宜上、図１の一部（安全キャップ）を断面で示すこととする。
【００１３】
避雷器１は、直撃雷や誘導雷によって発生する雷サージ（外雷）、開閉器の開閉によって発生する開閉サージ（内雷）等の電力系統の異常電圧が所定の電圧値を超えたとき、送電を継続させるために放電を開始する配電用の電気機器である。
【００１４】
避雷器１は、避雷器本体１０、線路側端子２０、螺子３０Ａ，３０Ｂ、装着体４０、安全キャップ５０、支持バンド６０、取付金具７０、を含んで構成される。
【００１５】
避雷器本体１０は、中空形状を呈する磁器である。避雷器本体１０の内部には、ヒューズ筒（不図示）が収容されている。
【００１６】
線路側端子２０は、避雷器本体１０の安全キャップ６０が装着される側の端に設けられる端子である。線路側端子２０は、避雷器本体１０の内部においてヒューズ筒と電気的に接続され、避雷器本体１０の外部において電線１００と電気的に接続される。線路側端子２０は、挿入孔２１と螺合孔２２Ａ，２２Ｂを有する。挿入孔２１は、電線１００の被覆１０１を剥離して露出している芯線１０２が挿入される孔である。螺合孔２２Ａ，２２Ｂは、螺子３０Ａ，３０Ｂがそれぞれ螺合する孔である。尚、本実施形態において、線路側端子２０の径と電線１００の径とは実質的に同等であることとする。
【００１７】
装着体４０は、被覆１０１と芯線１０２との境目で電線１００が断線しないように、安全キャップ５０内において、芯線１０２が挿入孔２１に挿入された状態の線路側端子２０と、電線１００の芯線１０２に連続する被覆１０１と、を覆うように装着される絶縁部材である。装着体４０は、線路側端子２０の径や電線１００の径と実質的に同等の内径を有する円筒型の部材である。装着体４０は、螺合孔２２Ａ，２２Ｂにそれぞれ連通する挿入孔４１Ａ，４１Ｂを有する。尚、本実施形態において、装着体４０は、例えば樹脂材料を用いて一体成型されることとする。
【００１８】
安全キャップ５０は、電線１００が接続された状態の線路側端子２０を覆うように避雷器本体１０に装着される中空形状を呈する磁器である。安全キャップ５０は、挿入孔５１とゴムブッシュ５２と開口５３とを有する。挿入孔５１は、電線１００が挿入される孔である。ゴムブッシュ５２は、電線１００が挿入孔５１に挿入されたときの被覆１０１と挿入孔５１との間の隙間を密閉するために、挿入孔５１の周りに一体的に設けられる密閉部材である。開口５３は、安全キャップ５０の挿入孔５１が設けられる側とは反対側に設けられる。開口５３は、電線１００が接続された状態の線路側端子２０を覆うために、安全キャップ５０の挿入孔５１が設けられる側とは反対側に設けられる。
【００１９】
支持バンド６０は、避雷器１を電柱の腕金等に設置するために、避雷器本体１０に固定される金具である。
【００２０】
取付金具７０は、避雷器１を電柱の腕金等に設置するときに、支持バンド６０と電柱の腕金等との間を中継する金具である。
【００２１】
＝＝＝避雷器の組立工程＝＝＝
先ず、装着体４０の挿入孔４１Ａ，４１Ｂが線路側端子２０の螺合孔２２Ａ，２２Ｂとそれぞれ連通するように、装着体４０と線路側端子２０との位置合わせを行いながら、装着体４０を線路側端子２０に装着する。このとき、装着体４０の内径は線路側端子２０の外径と実質的に同等であるため（装着体４０が線路側端子２０に接する程度に装着体４０の内径は線路側端子２０の外径よりも僅かに大きいため）、装着体４０は線路側端子２０に対して一体的に結合されるが、装着体４０と線路側端子２０との間に接着剤を塗布してもよい。
【００２２】
次に、電線１００を安全キャップ５０の挿入孔５１に挿入し、電線１００から被覆１０１を剥離することによって露出する芯線１０２を線路側端子２０の挿入孔２１に挿入する。
【００２３】
次に、螺子３０Ａ，３０Ｂを装着体４０の挿入孔４１Ａ，４１Ｂにそれぞれ挿入し、続いて、芯線１０２が線路側端子２０の挿入孔２１の内壁に当接するまで、螺子３０Ａ，３０Ｂを線路側端子２０の螺合孔２２Ａ，２２Ｂを通して挿入する。これによって、芯線１０２は、線路側端子２０と電気的に接続され、線路側端子２０と芯線１０２側の被覆１０１の先端とは、変形し難い装着体４０によって一体的に覆われる。
【００２４】
次に、電線１００が接続された状態の線路側端子２０を外的要因から保護するために、安全キャップ５０を避雷器本体１０に装着する。
【００２５】
上記の組立工程を実行することによって、本実施形態に係る避雷器１は完成する。
【００２６】
そして、避雷器１を電柱１に設置した場合、線路側端子２０と芯線１０２側の被覆１０１の先端とが装着体４０によって動かないように一体的に覆われているため、電線１００が風雨や鳥獣等の外的要因によって動揺したとしても、電線１００が被覆１０１と芯線１０２との境目で断線するのを確実に防止することが可能となる。
【００２７】
＝＝＝まとめ＝＝＝
以上説明したように、本実施形態に係る避雷器１は、避雷器本体１０と、避雷器本体１０の先端に設けられる線路側端子２０と、電線１００が挿入される挿入孔５１を有し、電線１００の被覆１０１を剥離して電線１００の先端に露出する芯線１０２が接続された状態の線路側端子２０を覆うように避雷器本体１０に装着される安全キャップ５０と、安全キャップ５０内において、芯線１０２が接続される線路側端子２０と、芯線１０２側の被覆１０１の先端と、を覆うように装着される絶縁材料からなる装着体４０と、を備える。そして、本実施形態によれば、線路側端子２０と芯線１０２側の被覆１０１の先端とが装着体４０によって動かないように一体的に覆われているため、電線１００が風雨や鳥獣等の外的要因によって動揺したとしても、電線１００が被覆１０１と芯線１０２との境目で断線するのを確実に防止し、避雷器自体の機能を十分に確保することが可能となる。
【００２８】
又、本実施形態において、線路側端子２０は、芯線１０２が挿入される挿入孔２１と、芯線１０２が挿入孔２１内に固定されるように螺子３０Ａ，３０Ｂが螺合する螺合孔２２Ａ，２２Ｂと、を有し、装着体４０は、螺子３０Ａ，３０Ｂが螺合孔２２Ａ，２２Ｂに螺合する前に挿入される挿入孔４１Ａ，４１Ｂを有する。
【００２９】
又、本実施形態において、装着体４０は、円筒形状を呈する。
【００３０】
又、本実施形態において、装着体４０は、樹脂材料で形成される。
【００３１】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００３２】
１  避雷器
１０  避雷器本体
２０  線路側端子
２１  挿入孔
２２Ａ，２２Ｂ  螺合孔
３０Ａ，３０Ｂ  螺子
４０  装着体
４１Ａ，４１Ｂ  挿入孔
５０  安全キャップ
５１  挿入孔
５２  開口
６０  支持バンド
７０  取付金具
１００  電線
１０１  被覆
１０２  芯線
【図１】
2019139985.tif 000003
【図２】
2019139985.tif 000004
【図３】
2019139985.tif 000005
【図４】
2019139985.tif 000006